(57)【要約】  安定性と運動性を確保した状態で、足の指に地面を掴むような動作を行わせ易い靴用インソールを提供する。  靴用インソール１は、足の内側縦アーチ１２１、外側縦アーチ１２２及び横アーチ１２０を維持するために、足の踵骨前部１２Ａに当接する踵骨前部支持凸部９０と、前記踵骨前部支持凸部９０が、内側縦アーチ１２１、外側縦アーチ１２２及び横アーチ１２０を維持した状態で、足の母趾球２６Ａと小趾球３４Ａとを支持する趾球支持部１００と、を備え、前記趾球支持部１００の前方に、当該趾球支持部１００よりも肉薄のインソール前部１１０を備えた。
2020021622.tif 000002
【特許請求の範囲】
【請求項１】
足の内側縦アーチ、外側縦アーチ及び横アーチを維持するために、足の踵骨前部に当接する踵骨前部支持凸部と、前記踵骨前部支持凸部が、内側縦アーチ、外側縦アーチ及び横アーチを維持した状態で、足の母趾球と小趾球とを支持する趾球支持部と、を備え、前記趾球支持部の前方に、当該趾球支持部よりも肉薄のインソール前部を備えたことを特徴とする靴用インソール。
【請求項２】
前記インソール前部から前記趾球支持部に至るまで上面が平坦であり、前記趾球支持部は下方に膨出することを特徴とする請求項１に記載の靴用インソール。
【請求項３】
前記趾球支持部の前縁部は、足の第１基節骨から第５基節骨を結ぶ線上を延び、第１基節骨と第２基節骨の間の前縁部は、後方に凹むことを特徴とする請求項１又は２に記載の靴用インソール。
【請求項４】
前記趾球支持部の後縁部は、幅方向中央部が前方に凹むことを特徴とする請求項１乃至３の何れかに記載の靴用インソール。
【請求項５】
前記趾球支持部は、外周部の肉厚が漸減することを特徴とする請求項１乃至４の何れかに記載の靴用インソール。
【請求項６】
前記踵骨前部支持凸部に重なり合って立方骨支持凸部が配置され、前記立方骨支持凸部は、足の立方骨から舟状骨に相当する部位を含んで左右の両側縁に向って下傾して厚みを漸減させると共に、前記立方骨に相当する部位から前後に向って下傾して厚みを漸減させて、前後左右の放射方向に厚みを漸減させることを特徴とする請求項１乃至５の何れかに記載の靴用インソール。
【発明の詳細な説明】
【技術分野】
【０００１】
本発明は、靴用インソールに関する。
【背景技術】
【０００２】
従来、靴用インソールが、踵骨前部を足底から支持する踵骨前部支持凸部を備えた構成が知られている（例えば、特許文献１参照）。
特許文献１では、踵骨前部支持凸部により、踵骨を安定させ、足底のアーチを自然な形状に維持して足をバランス良く支持している。従来の靴用インソールでは、足のバランスをとり易くすると共に、歩行時、走行時の推進力を生み出し易くし、安定性と運動性の両立を図っている。
【先行技術文献】
【特許文献】
【０００３】
【特許文献１】国際公開第２０１４／２０３３９９号
【発明の概要】
【発明が解決しようとする課題】
【０００４】
しかしながら、上述した従来のインソールでは、安定性と運動性の両立は図れるものの、歩行時の運動効果を得難いという課題がある。
そこで、本発明の目的は、安定性と運動性を確保すると共に、運動効果を得易くした、靴用インソールを提供することにある。
【課題を解決するための手段】
【０００５】
本発明の靴用インソールは、足の内側縦アーチ、外側縦アーチ及び横アーチを維持するために、足の踵骨前部に当接する踵骨前部支持凸部と、前記踵骨前部支持凸部が、内側縦アーチ、外側縦アーチ及び横アーチを維持した状態で、足の母趾球と小趾球とを支持する趾球支持部と、を備え、前記趾球支持部の前方に、当該趾球支持部よりも肉薄のインソール前部を備えたことを特徴とする。【０００６】
本発明によれば、踵骨前部支持凸部が、足の内側縦アーチ、外側縦アーチ及び横アーチを維持した状態で、趾球支持部が、足の母趾球と小趾球とを支持するため、足のアーチの状態を維持したまま、足の第１から第５基節骨の前の、足の指の拘束が解かれた状態となる。したがって、歩行時又は走行時には、足のアーチ状態を維持したまま、足の指がフリー状態となり、足の指で地面を掴む歩行動作が可能になる。
また、本発明によれば、インソール前部が、趾球支持部よりも肉薄となっているため、足の指の自由度がさらに高まり、足の指で地面を掴むような歩行動作を容易に行うことができ、運動効果を高めることができる。
【発明の効果】
【０００７】
本発明によれば、足底のアーチの形状を維持して身体の安定性、運動性を確保しながら、足の指で地面を掴む動作を行わせ易くし、運動効果を高めることができる。
【図面の簡単な説明】
【０００８】
【図１】図１は、本発明の実施形態に係るインソールを示す斜視図である。
【図２】図２は、足の骨格を重ね合わせたインソールを示す底面図である。
【図３】図３は、インソールを示す横方向断面図であり、図３（Ａ）は図２のＳ０−Ｓ０断面図、図３（Ｂ）は図２のＳ１−Ｓ１断面図、図３（Ｃ）は図２のＳ２−Ｓ２断面図、図３（Ｄ）は図２のＳ３−Ｓ３断面図、図３（Ｅ）は図２のＳ４−Ｓ４断面図、図３（Ｆ）は図２のＳ５−Ｓ５断面図、図３（Ｇ）は図２のＳ６−Ｓ６断面図、図３（Ｈ）は図２のＳ７−Ｓ７断面図である。
【図４】図４は、インソールを示す縦方向断面図であり、図４（Ａ）は図２のＳ１０−Ｓ１０断面図、図４（Ｂ）は図２のＳ１１−Ｓ１１断面図、図４（Ｃ）は図２のＳ１２−Ｓ１２断面図、図４（Ｄ）は図２のＳ１３−Ｓ１３断面図、図４（Ｅ）は図２のＳ１４−Ｓ１４断面図である。
【図５】図５は、足底のアーチの説明図である。
【図６】図６は、インソールと足との関係を示す縦方向断面図であり、インソールは図２のＳ１３−Ｓ１３断面図と同一である。
【発明を実施するための形態】
【０００９】
以下、図面を参照して本発明の実施形態について説明する。
本実施形態の図面では、左右の一方のインソール１及び足の骨格を示す。他方のインソール１及び足の骨格は鏡像対象となる。
図１は、本実施形態に係るインソール１を示す斜視図である。
インソール（靴用インソール）１は、インソール本体１６０を備え、インソール本体１６０は、平面視において靴の内部輪郭に倣った形状であり、靴の内部に収納される外縁輪郭７０を備えている。外縁輪郭７０を靴の内部輪郭に適合させることで、インソール１挿入時に靴の中でそのインソール１は所定の位置に装着される。インソール１を使用する者の足の形状には個人差があり、一定でないので、インソール１の全体の大きさは使用者の足のサイズに応じて選定される。
【００１０】
図２は、足の骨格を重ね合わせたインソール１を示す底面図である。この図面は下方から見た図面であり、骨同士が重なり合っているために骨の一部が隠れていることに留意されたい。足の表から見た平面図は、図２の底面図とは骨の重なり方が異なる。
【００１１】
図２に示されるように、足の骨格構造１０は、踵骨１２、距骨１４、舟状骨１６、立方骨１８、第１〜第３楔状骨２０，２２，２４、第１〜第５中足骨２６，２８，３０，３２，３４、第１〜第５基節骨３６，３８，４０，４２，４４、第２〜第５中節骨４６，４８，５０，５２、第１〜第５末節骨５４，５６，５８，６０，６２より構成される。第１〜第５中足骨２６，２８，３０，３２，３４の前端部は、第１〜第５中足骨頭部２６Ａ（母趾球２６Ａとも言う。），２８Ａ，３０Ａ，３２Ａ，３４Ａ（小趾球３４Ａとも言う。）である。踵骨１２の前部に位置する段状の部分は、踵骨前部（踵骨結節とも言う。）１２Ａである。なお、図２では、舟状骨１６のみ、骨同士の重なりによる隠れた部分を破線で示す。
【００１２】
本構成では、図１及び図２に示すように、インソール本体１６０の表面（上面）１Ａに、凸状部２を構成する立方骨支持凸部８０及び踵骨前部支持凸部９０が形成されている。立方骨支持凸部８０は立方骨１８に相当する部分に設けられ、踵骨前部支持凸部９０は踵骨結節１２Ａに相当する部位に設けられる。立方骨支持凸部８０及び踵骨前部支持凸部９０は中実に形成されている。
【００１３】
踵骨前部支持凸部９０は、立方骨支持凸部８０上に設けられており、踵骨前部支持凸部９０の表面が立方骨支持凸部８０の表面に重なり合って、一つの凸状部２を形成している。立方骨支持凸部８０及び踵骨前部支持凸部９０は、相互に一体であってもよいし、別体であってもよく、また、平坦なインソールと別体に形成されることもある。なお、図２では、踵骨前部支持凸部９０は、当該踵骨前部支持凸部９０の高さを示す等高線とともに模式的に図示されている。
【００１４】
インソール本体１６０の裏面（下面）１Ｂには、足の第１中足骨頭部（母趾球）２６Ａと、第２〜第５中足骨頭部（小趾球）２８Ａ〜３４Ａと、を支持する趾球支持部（以下、膨出部という。）１００が形成されている。この膨出部１００は、インソール本体１６０の裏面（下面）１Ｂから下方へ膨出している。膨出部１００は、底面視で前縁部が第１基節骨３６から第５基節骨４４を結ぶ線上を延びている。膨出部１００の前方には、インソール本体１６０のインソール前部１１０が形成され、インソール前部１１０の厚さは、膨出部１００の厚さよりも肉薄である。
【００１５】
図３は、インソール１を示す横方向断面図であり、図４は、インソール１を示す縦方向断面図である。なお、図３、図４において、（Ｓ０−Ｓ０）〜（Ｓ７−Ｓ７）、（Ｓ１０−Ｓ１０）〜（Ｓ１４−Ｓ１４）は、図２における、（Ｓ０−Ｓ０）〜（Ｓ７−Ｓ７）、（Ｓ１０−Ｓ１０）〜（Ｓ１４−Ｓ１４）に対応する。
【００１６】
Ｓ０−Ｓ０断面は、第１末節骨５４、第２〜第３中節骨４６，４８付近を横切る断面であり、該断面のインソール本体１６０すなわちインソール前部１１０は平坦である。
Ｓ１−Ｓ１断面は、第１〜第４基節骨３６〜４２、第５末節骨６２付近を横切る断面であり、インソール本体１６０の裏面１Ｂには膨出部１００を備える。
膨出部１００には、足の母趾球２６Ａを支持する母趾球部１０３と、第２〜第４中足骨頭部２８Ａ〜３２Ａや小趾球３４Ａを支持する他趾球部１０４とが形成されており、母趾球部１０３と他趾球部１０４との間には、Ｖ字凹部１０５が形成されている。外周部１０２は、膨出部１００の外側ほど厚みが漸減して上方に傾斜している。
【００１７】
Ｓ２−Ｓ２断面は、第１中足骨頭部２６Ａと第５中足骨頭部３４Ａとを横切る断面である。この部分のインソール本体１６０は、表面１Ａに平坦な表面部１００Ａを備え、裏面１Ｂには下方に膨出する膨出部１００を備える。膨出部１００は平坦な本体部１０１と、厚みが漸減する外周部１０２を備える。
【００１８】
Ｓ３−Ｓ３断面は、中足骨２６〜３４を横切る断面である。この部分のインソール本体１６０は、表面１Ａに平坦な表面部１００Ａを備え、裏面１Ｂには膨出部１００を備える。膨出部１００の後縁部には、底面視で幅方向中央部が前方に円弧状に凹んだ円弧凹部１０６が形成されている。
【００１９】
Ｓ４−Ｓ４断面は、中足骨２６〜３４を横切る横アーチに相当する部位であり、インソール本体１６０は、一般的な足に対応して土踏まずに相当する部位で厚みが厚く、右足外側に向けて表面側が下傾して厚みが漸減する。また、左右内外側の裏面には、平坦部分の両側において肉抜き部分７２，７４が形成されており、Ｓ４−Ｓ４断面における左右への変形を若干許容できるようになっている。
【００２０】
Ｓ５−Ｓ５断面は、立方骨１８に相当する部位であり、インソール本体１６０は、最大厚みの立方骨支持凸部８０を備えている。立方骨支持凸部８０の表面８０Ａは、立方骨１８に相当する部位から左右の両側縁７６に向って舟状骨１６に相当する部位３（図２）を含んで下傾して厚みを漸減させている。インソール本体１６０は、Ｓ５−Ｓ５断面において、最外縁に隆起縁部７８を備えている。
【００２１】
Ｓ６−Ｓ６断面は、踵骨結節１２Ａを横切って、縦アーチ後方終点に相当する部位である。この部分のインソール本体１６０は、最大厚みの踵骨前部支持凸部９０を備え、その表面９０Ａは、踵骨結節１２Ａに相当する部位から左右の両側縁７６に向って舟状骨１６に相当する部位３（図２）を含んで下傾して厚みを漸減させている。
【００２２】
Ｓ７−Ｓ７断面は、踵骨１２の後部を横切って、縦アーチ後方終点に相当する部位である。インソール本体１６０は、一般的な足に対応して踵を支持するように表面１Ａ側は比較的平坦である。また、インソール本体１６０は、両側に向けて表面１Ａ側が上傾して厚みが漸増し、最外縁に隆起縁部７８を備えている。左右内外側の裏面には、肉抜き部分７２，７４が形成されており、Ｓ７−Ｓ７断面における左右への変形を若干許容できるようになっている。
【００２３】
Ｓ１０−Ｓ１０断面及びＳ１１−Ｓ１１断面は、内側縦アーチを構成する楔状骨２０〜２４、舟状骨１６に相当する部位において表面が隆起している。
本発明のインソール１は、立方骨１８及び踵骨結節１２Ａに相当する部位だけを支持するのではなく、安定性を考慮して他の部分においても支持する。ただし、足の運動を拘束するような構成ではない。そのため、該断面では、インソール本体１６０に、肉抜き部分７２が設けられており、立方骨支持凸部８０の内側において沈下できる。そのため、楔状骨２０〜２４、舟状骨１６に相当する部位に力が作用した場合においても、肉抜き部分７２によりインソール本体１６０が変形し、応力を緩和する。
【００２４】
Ｓ１１−Ｓ１１断面乃至Ｓ１３−Ｓ１３断面は、立方骨１８に相当する部位であり、最大厚みの立方骨支持凸部８０を備えている。立方骨支持凸部８０の表面８０Ａは、立方骨１８に相当する部位から前後に向って下傾して厚みを漸減させている。換言すると、インソール１を装着した靴内に足を入れて立位姿勢になったとき、立方骨１８に相当する立方骨支持凸部８０は、足裏面に最大応力を作用させる。インソール１は、立方骨支持凸部８０から前後に離れるに従い応力が緩徐に漸減する構成である。
また、インソール１の底面側の構成として、靴に接する部位は立方骨１８に相当する部位、すなわち、立方骨支持凸部８０の裏側において平坦である。この構成により、立方骨１８には靴から常に反力が作用する。
【００２５】
Ｓ１２−Ｓ１２断面及びＳ１３−Ｓ１３断面は、踵骨結節１２Ａに相当する部位でもあり、最大厚みの踵骨前部支持凸部９０を備えている。踵骨前部支持凸部９０の表面９０Ａは、踵骨結節１２Ａに相当する部位から前後に向って下傾して厚みを漸減させている。換言すると、インソール１は、踵骨前部支持凸部９０から前後に離れるに従い応力が緩徐に漸減する構成である。また、靴に接する部位は踵骨結節１２Ａに相当する部位、すなわち、踵骨前部支持凸部９０の裏側において平坦である。この構成により、踵骨結節１２Ａには靴から常に反力が作用する。
【００２６】
Ｓ１４−Ｓ１４断面は、外側縦アーチを構成する第５中足骨３４に相当する部位において表面が隆起している。
当該部位は立方骨支持凸部８０及び踵骨前部支持凸部９０の外側に位置しており、安定性を考慮して若干の盛り上がりがある。ただし、足の運動を拘束するような構成ではない。外側縦アーチに相当する部位には肉抜き部分７４が設けられており、インソール１は、立方骨支持凸部８０及び踵骨前部支持凸部９０の外側においても沈下できるようになっている。外側縦アーチの第５中足骨３４に力が作用した場合においても、肉抜き部分７４によりインソール本体１６０が変形し、応力を緩和する。
【００２７】
本構成では、インソール１を装着した際、立方骨支持凸部８０を頂点として立方骨１８が支持される。立方骨１８が下方から支持されるので、足は左右前後への中立位（ニュートラル）を維持しながら、立方骨１８を支点として回内運動では外反を許容されるとともに回外運動では内反を許容される。
これにより、インソール１が関節の正常な動きを妨げることなく、他の部位での代償の必要性も少なく前後左右への重心の移動が容易になる。すなわち、インソール１は、足をギプスのように固定的に拘束するのではなく、立方骨支持凸部８０から放射方向に表面が下傾して応力を緩和し、さらに、肉抜き部分７２，７４を設けてインソール１自体を変形しやすくすることで運動を許容する。インソール１は、立方骨１８相当部位を下方から支える形になり、足の骨格の過剰な歪みを補正、予防しながら回内運用及び回外運動をスムーズに誘導する。
【００２８】
図５は、足の裏のアーチを示す。
人間の足の裏には、歩行時又は走行時に、自然な状態であれば、アーチ（破線で模式的に示す。）１１９が形成される。
アーチ１１９は、足の長手方向に形成された、内側縦アーチ１２１及び外側縦アーチ１２２と、足の短手方向に形成された、横アーチ１２０とを含む。横アーチ１２０は、図２に示されるように、第１〜第５中足骨２６〜３４の間に跨って形成される。また、内側縦アーチ１２１は、踵骨１２、距骨１４、舟状骨１６、３個の楔状骨２０〜２４、及び第１〜第３中足骨２６〜３０の間に跨って形成される。外側縦アーチ１２２は、踵骨１２、立方骨１８、第４〜第５中足骨３２，３４の間に跨って形成される。
【００２９】
図６は、インソール１を装着した際、使用者の体重Ｆが、脛骨６８から距骨１４を介して踵骨１２に作用する原理を示す図である。
この踵骨１２は、使用者の体重Ｆを支える要となる。踵骨１２では、踵骨前側上端１２Ｂが力点Ｐ１となり、踵骨下端（踵骨後部）１２Ｃが支点Ｐ２となるので、踵骨１２には、支点Ｐ２を中心としたモーメントが作用する。
本構成では、踵骨前部支持凸部９０が、力点Ｐ１の略直下の踵骨結節１２Ａを支持することで、踵骨１２を安定させることができる。また、踵骨結節１２Ａは、支点Ｐ２となる踵骨下端１２Ｃから距離があるため、踵骨結節１２Ａに相当する部位に踵骨前部支持凸部９０を設けることで、小さな力で効率良く踵骨１２を支持できる。
【００３０】
立方骨１８にも、踵骨１２を介して使用者の体重Ｆが作用する。立方骨１８については、第１〜第５中足骨頭部２６Ａ〜３４Ａが支点Ｐ３となるので、立方骨１８には、支点Ｐ３を中心としたモーメントが作用する。
本構成では、立方骨支持凸部８０が、力点Ｐ１の略直下の立方骨１８を支持することで、立方骨１８を安定させることができる。
また、立方骨１８は、支点Ｐ３となる第１〜第５中足骨頭部２６Ａ〜３４Ａから距離があるため、立方骨１８に相当する部位に立方骨支持凸部８０を設けることで、小さな力なで効率良く立方骨１８を支持できる。
【００３１】
ところで、立方骨１８を支持しただけでは、踵骨１２が安定し難く、立方骨１８と踵骨１２と関節（踵立方関節）に歪みが生じる場合がある。
踵骨１２は、内側縦アーチ１２１及び外側縦アーチ１２２の両方を同時に構成するため、踵骨１２が安定しないと、縦アーチを正常な位置に維持できなくなる。特に、踵骨１２の前部の踵骨結節１２Ａは、図６に示すように、踵骨１２の中間部と第２〜第５中足骨２８〜３４を繋ぐ長足底靭帯６４が重なるように位置している。この長足底靭帯６４は縦アーチを維持する働きもしている。
【００３２】
本構成では、踵骨前部支持凸部９０が、長足底靭帯６４を介して踵骨結節１２Ａを支持するため、踵骨１２が安定し、踵立方関節の歪みを減少できるとともに、縦アーチを正常な位置にすることができる。これにより、縦アーチがばねとしてより効果的に機能する。特に、夜間では、昼間に比べ、長足底靭帯６４の縦アーチを維持する機能が低下するため、長足底靭帯６４を支持することが有効である。踵骨前部支持凸部９０は、長足底靭帯６４が重なる位置の踵骨結節１２Ａに相当する部位４を含む。
【００３３】
踵骨前部支持凸部９０は、長足底靭帯６４を支持して足アーチの受動的安定を促すだけでなく、長足底靭帯６４を介して外側縦アーチの能動的安定化にとって重要な長腓骨筋の停止腱６６を支える。ここで、受動的安定は靭帯により、能動的安定は筋（腱）によりなされる。長腓骨筋の停止腱６６は、図２に示すように、立方骨１８の周りを巻いた後、足の外側縁から足底を横切り、第１楔状骨２０と第１中足骨２６の底に停止する。さらに、踵骨前部支持凸部９０の一部は立方骨１８の下部に位置し、立方骨１８を介して、舟状骨１６を支持する。このことによって、内側縦アーチの能動的安定化構造の主である、後脛骨筋の停止腱６７が間接的に支持される。
後脛骨筋の停止腱６７は、筋膜を第１〜第３楔状骨２０〜２４、第２〜第３中足骨２８，３０及び舟状骨１６に出している。長腓骨筋、後脛骨筋、これら二つの筋の斜めの走行により、横アーチに加えて縦アーチが保持される。
【００３４】
また、踵骨１２も関節を構成するため、固定的に支持するだけでは運動機能を阻害するので、運動を許容することも必要である。
インソール本体１６０は、立方骨支持凸部８０を中心にして放射方向には表面が下傾して応力を緩和する構成となっているので、踵骨１２が構成する関節の運動を許容できる。より詳細には、踵骨前部支持凸部９０は、比較的柔らかい素材で形成されており、使用者の体重で厚みが最大となる部分が沈み、踵骨結節１２Ａを支持する。踵骨前部支持凸部９０が沈むことで、インソール１は、立方骨支持凸部８０を中心にして前後左右の放射方向に下傾して、立方骨１８を支点に足を支持するとともに、該立方骨支持凸部８０を中心に足の運動を許容する。
【００３５】
本構成では、踵骨前部支持凸部９０が、踵骨結節（足の踵骨前部）１２Ａに当接し、足の内側縦アーチ１２１、外側縦アーチ１２２及び横アーチ１２０を維持する。
踵骨前部支持凸部９０により、踵骨１２を安定的に支持することができて、足底の横アーチ１２０、内側縦アーチ１２１、外側縦アーチ１２２が自然な形状に維持され、足の安定性、運動性を向上させることができる。
そして、この状態において、すなわち踵骨前部支持凸部９０が、内側縦アーチ１２１、外側縦アーチ１２２及び横アーチ１２０を維持した状態で、膨出部１００が、足の第１中足骨頭部（母趾球）２６Ａと、第２〜第５中足骨頭部（小趾球）２８Ａ〜３４Ａと、を支持するように構成されている。
【００３６】
本構成では、図６に示すように、膨出部１００が靴の中底７に接触することにより、膨出部１００の表面部１００Ａが上方に保持され、表面部１００Ａにより、母趾球２６Ａや小趾球３４Ａなどの、第１〜第５中足骨頭部２６Ａ〜３４Ａが、すなわち、足の指の付け根側が上方に保持される。
したがって、踵骨前部支持凸部９０が、足のアーチの状態を維持したまま、足の指の拘束が解かれた状態となる。
【００３７】
一般に、靴の中底は踵側を高くし爪先側を低くして歩き易くしているが、爪先側が低いために、体重がかかる際に爪先側に力がかかり易く、足の指全体が靴の中底７に押し当てられ易い。そのため、足の指が動き難く、足の指の自然な動作が阻害される場合があり、足の指が自然な運動の刺激を得難い。
これに対し、本構成では、膨出部１００が母趾球２６Ａと小趾球３４Ａとを靴の中底７に対して高い位置に保持するため、インソール１に支持された足は靴の中では水平に近づき易く、支点Ｐ３（図６参照）よりも前側の爪先側に体重がかかり難くなって、足の指先が動かし易くなる。
【００３８】
本構成では、インソール本体１６０が踵骨前部支持凸部９０備える。このため、インソール１の使用者は、足底のアーチ１２０〜１２２が自然な形状が維持された状態で爪先側が高くなり、歩行時や走行時には、足の指が自然と地面を掴むように動作し易くなる。したがって、坂道や階段の上り下りする場合に爪先側に力が入り易く、足の指が理想的な運動の刺激を得易くなる。本構成によるインソール１を使用することにより、足の身体機能の低下が抑制され易くなる。
本構成のインソール１が装着された靴を履いて歩くだけで足の指のトレーニングをすることができる。特に、本構成では、インソール１が立方骨支持凸部８０も備えているため、足の骨格バランスが整えられ、安定性、運動性がさらに向上しており、トレーニングが更にし易くなる。
【００３９】
本構成では、インソール前部１１０が、膨出部１００よりも肉薄であるため、足の第１〜第５末節骨５４〜６２の前の、指の自由度がさらに高まる。
足の指が地面を掴む動作は、図２における基節骨３６〜４４、中節骨４６〜５２及び末節骨５４〜６２を含む、いわゆる、足の指が乗るインソール前部１１０が、母趾球２６Ａと小趾球３４Ａが乗る膨出部１００より柔らかい場合に容易に行える。
本実施形態では、インソール前部１１０は、膨出部１００に比べて薄肉で軟らかいため、足の指を容易に動かすことができる。
したがって、足の指で地面を掴むような歩行動作を容易に行うことができ、運動効果を高めることができる。足底のアーチの形状を維持して身体の安定性、運動性を確保しながら、運動効果を高めることができる。
【００４０】
本構成では、膨出部１００が裏面１Ｂに形成されるため、図６に示すように、膨出部１００の近接部分と靴の中底７との間には隙間１１１が生じる。そのため、インソール１のインソール前部１１０を隙間１１１に向けて上方から押し込み易い。また、膨出部１００にはＶ字凹部１０５も形成されており、母趾球部１０３と他趾球部１０４との間が薄肉となり母趾でインソール前部１１０を隙間１１１に向けて押し易い。
このように、本実施形態では、足の指を曲げ易くなると共に足の指に力を入れ易くなり、足の指で地面を掴む動作を容易に行える。
【００４１】
また、膨出部１００は、平坦な表面部１００Ａが足底に接触するため、凹凸形状が足底に接触する場合に比べて足の動きを妨げ難い。
一方で、足の動きを妨げ難いために、歩行時や運動時に母趾球２６Ａや小趾球３４Ａの位置がズレる可能性はあるが、膨出部１００は前後方向に幅広に形成されており、膨出部１００が母趾球２６Ａや小趾球３４Ａを支持可能である。
【００４２】
以上説明したように、本実施形態の靴用インソール１は、足の内側縦アーチ１２１、外側縦アーチ１２２及び横アーチ１２０を維持するために、足の踵骨前部１２Ａに当接する踵骨前部支持凸部９０と、踵骨前部支持凸部９０が、内側縦アーチ１２１、外側縦アーチ１２２及び横アーチ１２０を維持した状態で、足の母趾球２６Ａと小趾球３４Ａとを支持する膨出部１００と、を備え、膨出部１００の前方に、膨出部１００よりも肉薄のインソール前部１１０を備えている。したがって、足底のアーチ１２０〜１２２の形状を自然な状態に維持して身体の安定性、運動性を確保しながら、足の指に地面を掴む動作を行わせ易くし、足の指にトレーニングを行わせることができる。
【００４３】
本実施形態では、インソール前部１１０から膨出部１００に至るまで表面１Ａが平坦であり、膨出部１００は下方に膨出する。したがって、膨出部１００が靴の中底７に接触し、膨出部１００の表面１Ａを成す表面部１００Ａが足底に平坦面で接触するため、足の指を動かし易くすることができる。
【００４４】
また、本実施形態では、膨出部１００の前縁部は、足の第１基節骨３６から第５基節骨４４を結ぶ線上を延び、第１基節骨３６と第２基節骨３８の間の前縁部は、Ｖ字凹部１０５が形成されており、後方に凹む。したがって、母趾、すなわち、第１基節骨３６と第１末節骨５４に相当する部位のインソール１を下方に押し込み易くなり、母趾に地面を掴む動作を行わせ易くできる。
【００４５】
また、本実施形態では、膨出部１００の後縁部は、円弧凹部１０６が形成されており、幅方向中央部が前方に凹む。したがって、足底に膨出部１００の境界を感じさせ難くして違和感を低減できる。
【００４６】
また、本実施形態では、膨出部１００は、外周部の肉厚が漸減する。したがって、膨出部１００の外周部１０２が体重に応じて徐々に変形可能であるため、足への違和感を減らすことができる。
【００４７】
また、本実施形態では、踵骨前部支持凸部９０に重なり合って立方骨支持凸部８０が配置され、立方骨支持凸部８０は、足の立方骨１８から舟状骨１６に相当する部位を含んで左右の両側縁に向って下傾して厚みを漸減させると共に、立方骨１８に相当する部位から前後に向って下傾して厚みを漸減させて、前後左右の放射方向に厚みを漸減させる。したがって、立方骨支持凸部８０を備えるため、立方骨１８と踵骨１２との踵立方関節を含むアーチ形状を保持した状態、かつ、足の運動を許容した状態で、立方骨１８及び踵骨１２が安定するので、踵立方関節の歪みが減り、立方骨１８及び踵骨１２を含む足根骨全体が自然な状態で安定する。その結果、足の関節が自由に動くので、足の機能を高めることができる。
【００４８】
但し、上述の実施形態は本発明の一態様であり、本発明の趣旨を逸脱しない範囲において適宜変更可能であるのは勿論である。
例えば、上述の実施形態では、インソール本体１６０を一体に成型したが、平坦なインソール素材に、別体の凸状部２や、膨出部１００を着脱自在に装着しても良い。また、インソール本体１６０を複数層とし、中間層に凸状部２と膨出部１００を装着することにより、表面素材に凹凸を形成することは可能である。
立方骨支持凸部８０、踵骨前部支持凸部９０及び膨出部１００を中実に形成していたが、立方骨支持凸部８０、踵骨前部支持凸部９０及び膨出部１００の表面８０Ａ，９０Ａ、１０１の内部を中空としてもよい。
【００４９】
本発明の靴用インソールは、立位姿勢の改善や運動機能の向上を目的としており、日常的に使用する靴だけでなく、スキーやサッカーなどの機能性を追求する運動用の靴や、治療やリハビリテーションを目的とした医療用の靴、健康増進を目的としたトレーニング用の靴等、種々の靴に幅広く好適である。
【符号の説明】
【００５０】
１  インソール（靴用インソール）
１Ａ  表面（上面）
１２Ａ  踵骨結節（踵骨前部）
１８  立方骨
２６Ａ  母趾球
３４Ａ  小趾球
３６  第１基節骨
３８  第２基節骨
４４  第５基節骨
７６  両側縁
８０  立方骨支持凸部
９０  踵骨前部支持凸部
１００  膨出部（趾球支持部）
１０２  外周部
１１０  インソール前部
１２０  横アーチ
１２１  内側縦アーチ
１２２  外側縦アーチ
【図１】
2020021622.tif 000003
【図２】
2020021622.tif 000004
【図３】
2020021622.tif 000005
【図４】
2020021622.tif 000006
【図５】
2020021622.tif 000007
【図６】
2020021622.tif 000008
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
足の踵骨には、踵骨前側上端が力点となり、踵骨後部が支点となって、前記支点を中心としたモーメントが作用し、
足の内側縦アーチ、外側縦アーチ及び横アーチを維持するために、インソール本体の表面に突出し、前記力点の略直下の踵骨結節を支持して踵骨を安定させる、踵骨前部支持凸部と、前記インソール本体の裏面に突出し、靴の中底との間に隙間を生じさせて、足の母趾球と小趾球とを支持する趾球支持部と、を備え、
前記趾球支持部の前縁部は、足の第１基節骨から第５基節骨を結ぶ線上を延び、
前記趾球支持部の前方に、当該趾球支持部よりも肉薄のインソール前部を備えたことを特徴とする靴用インソール。
【請求項２】
前記インソール前部から前記趾球支持部に至るまで上面が平坦であり、前記趾球支持部は下方に膨出することを特徴とする請求項１に記載の靴用インソール。
【請求項３】
前記趾球支持部の後縁部は、幅方向中央部が前方に凹むことを特徴とする請求項１又は２に記載の靴用インソール。
【請求項４】
前記趾球支持部は、外周部の肉厚が漸減することを特徴とする請求項１乃至３の何れかに記載の靴用インソール。
【請求項５】
前記踵骨前部支持凸部に重なり合って立方骨支持凸部が配置され、前記立方骨支持凸部は、足の立方骨から舟状骨に相当する部位を含んで左右の両側縁に向って下傾して厚みを漸減させると共に、前記立方骨に相当する部位から前後に向って下傾して厚みを漸減させて、前後左右の放射方向に厚みを漸減させることを特徴とする請求項１乃至４の何れかに記載の靴用インソール。
【手続補正２】
【補正対象書類名】明細書
【補正対象項目名】０００５
【補正方法】変更
【補正の内容】
【０００５】
本発明の靴用インソールは、足の踵骨には、踵骨前側上端が力点となり、踵骨後部が支点となって、前記支点を中心としたモーメントが作用し、足の内側縦アーチ、外側縦アーチ及び横アーチを維持するために、インソール本体の表面に突出し、前記力点の略直下の踵骨結節を支持して踵骨を安定させる、踵骨前部支持凸部と、前記インソール本体の裏面に突出し、靴の中底との間に隙間を生じさせて、足の母趾球と小趾球とを支持する趾球支持部と、を備え、前記趾球支持部の前縁部は、足の第１基節骨から第５基節骨を結ぶ線上を延び、前記趾球支持部の前方に、当該趾球支持部よりも肉薄のインソール前部を備えたことを特徴とする。
【国際調査報告】
2020021622.tif 000009
2020021622.tif 000010
2020021622.tif 000011
2020021622.tif 000012